【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】図形表示制御装置及び図形表示制御プログラム
【手続補正２】
【補正対象書類名】明細書
【補正対象項目名】特許請求の範囲
【補正方法】変更
【補正の内容】
【特許請求の範囲】
【請求項１】
表示形態を幾何図形で表示する図形画面と表示形態を文字列からなる数式で表示する数式画面とを備えた表示部と、
前記図形画面に表示される幾何図形と、前記数式画面に表示される数式との間に連動関係を設定する連動設定手段と、
前記連動設定手段により連動関係が設定された幾何図形と数式とのうち、何れか一方に対する変更操作がなされた際に、当該変更操作に連動して他方の表示形態を更新する連動更新表示手段と、
を備えることを特徴とする図形表示制御装置。
【請求項２】
前記図形画面と前記数式画面とのうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示制御する変換表示制御手段を備え、
前記連動設定手段は、前記コピー操作により指定された一方の表示形態の内容と、前記変換表示制御手段により他方の表示形態に変換した内容との間に連動関係を設定するコピー連動設定手段を有することを特徴とする請求項１に記載の図形表示制御装置。
【請求項３】
前記数式は関数式であって、
この関数式に基づく関数図形を前記図形画面に表示制御する関数図形表示制御手段を更に備え、
前記連動設定手段は、前記関数図形表示制御手段によって前記図形画面に表示される関数図形と、前記数式画面に表示される関数式との間に連動関係を設定し、
前記連動更新表示手段は、前記連動設定手段により連動関係が設定された関数図形に対する変更操作がなされた際に、前記数式画面に表示される関数式を連動して変更することを特徴とする請求項１に記載の図形表示制御装置。
【請求項４】
前記数式は行列であって、
この行列に基づいて幾何図形を前記図形画面に表示制御する行列図形表示制御手段を更に備え、
前記連動設定手段は、前記行列図形表示制御手段によって前記図形画面に表示される幾何図形と、前記数式画面に表示される行列との間に連動関係を設定し、
前記連動更新表示手段は、前記連動設定手段により連動関係が設定された幾何図形に対する変更操作がなされた際に、当該変更操作に連動して当該行列を変更することを特徴とする請求項１に記載の図形表示制御装置。
【請求項５】
前記連動設定手段により連動関係が設定されていることを表す識別子を、連動関係が設定された幾何図形又は数式に付けて表示するように制御する連動関係表示制御手段を備えることを特徴とする請求項１に記載の図形表示制御装置。
【請求項６】
表示形態を幾何図形で表示する図形画面と表示形態を文字列からなる数式で表示する数式画面とを備えた表示部を有する図形表示制御装置のコンピュータを制御するための図形表示制御プログラムであって、
前記コンピュータを、
前記図形画面に表示される幾何図形と、前記数式画面に表示される数式との間に連動関係を設定する連動設定手段、
前記連動設定手段により連動関係が設定された幾何図形と数式とのうち、何れか一方に対する変更操作がなされた際に、当該変更操作に連動して他方の表示形態を更新する連動更新表示手段、
として機能させるための図形表示制御プログラム。
【手続補正３】
【補正対象書類名】明細書
【補正対象項目名】０００１
【補正方法】変更
【補正の内容】
【０００１】
【発明の属する技術分野】
本発明は、図形表示制御装置及び図形表示制御プログラムに関する。
【手続補正４】
【補正対象書類名】明細書
【補正対象項目名】０００７
【補正方法】変更
【補正の内容】
【０００７】
【課題を解決するための手段】
以上の課題を解決するため、請求項１に記載の発明の図形表示制御装置は、表示形態を幾何図形で表示する図形画面と表示形態を文字列からなる数式で表示する数式画面とを備えた表示部と、前記図形画面に表示される幾何図形と、前記数式画面に表示される数式との間に連動関係を設定する連動設定手段と、前記連動設定手段により連動関係が設定された幾何図形と数式とのうち、何れか一方に対する変更操作がなされた際に、当該変更操作に連動して他方の表示形態を更新する連動更新表示手段と、を備えることを特徴としている。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この請求項１に記載の発明によれば、図形画面に表示された幾何図形と、数式画面に表示された数式との間に連動関係を設定することができる。そして、当該幾何図形又は数式とのうち、何れか一方に対する変更操作が入力された際に、当該変更操作に連動して他方の表示を連動させて、自動的に更新させることができる。例えば、幾何図形を変形する変更操作を行うと、連動関係にある数式が自動的に更新される。また、数式の一部を変更すると、連動関係にある幾何図形が自動的に更新される。従って、きわめて簡単な操作により数式等とそれに対応するグラフや図形等の関係を理解することができる。
【手続補正７】
【補正対象書類名】明細書
【補正対象項目名】００１０
【補正方法】変更
【補正の内容】
【００１０】
また、請求項２に記載の発明は、請求項１に記載の図形表示制御装置において、前記図形画面と前記数式画面とのうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示制御する変換表示制御手段を備え、前記連動定手段は、前記コピー操作により指定された一方の表示形態の内容と、前記変換表示制御手段により他方の表示形態に変換した内容との間に連動関係を設定するコピー連動設定手段を有することを特徴としている。
【手続補正８】
【補正対象書類名】明細書
【補正対象項目名】００１１
【補正方法】変更
【補正の内容】
【００１１】
この請求項２に記載の発明によれば、図形画面と数式画面のうち、一方の画面に対して所定のコピー操作を行い、他方の画面に対して所定の貼り付け操作を行うことにより、コピー操作がなされた画面で指定された内容を、貼り付け操作がなされた画面の表示形態に応じた形態で表示させるとともに、一方の画面でコピー操作の際に指定された内容と、貼り付け操作に応じて他方の画面に表示制御された内容との間に連動関係を設定することができる。従って、一連の簡単な操作で、分かりやすく連動関係を設定できる。
【手続補正９】
【補正対象書類名】明細書
【補正対象項目名】００１２
【補正方法】変更
【補正の内容】
【００１２】
請求項３に記載の図形表示制御装置は、請求項１に記載の図形表示制御装置において、前記数式は関数式であって、この関数式に基づく関数図形を前記図形画面に表示制御する関数図形表示制御手段を更に備え、前記連動設定手段は、前記関数図形表示制御手段によって前記図形画面に表示される関数図形と、前記数式画面に表示される関数式との間に連動関係を設定し、前記連動更新表示手段は、前記連動設定手段により連動関係が設定された関数図形に対する変更操作がなされた際に、前記数式画面に表示される関数式を連動して変更することを特徴としている。
【手続補正１０】
【補正対象書類名】明細書
【補正対象項目名】００１３
【補正方法】変更
【補正の内容】
【００１３】
この請求項３に記載の発明によれば、図形画面において関数式に基づいて表示される一の幾何図形と、数式画面に表示される関数式との間に連動関係を設定することができ、幾何図形に対する変更操作がなされた際に、当該幾何図形と対応付けられた数式画面の関数式を、変更操作に基づいて自動的に変更させることができる。
【手続補正１１】
【補正対象書類名】明細書
【補正対象項目名】００１４
【補正方法】変更
【補正の内容】
【００１４】
そして、請求項４に記載の発明は、請求項１に記載の図形表示制御装置において、前記数式は行列であって、この行列に基づいて幾何図形を前記図形画面に表示制御する行列図形表示制御手段を更に備え、前記連動設定手段は、前記行列図形表示制御手段によって前記図形画面に表示される幾何図形と、前記数式画面に表示される行列との間に連動関係を設定し、前記連動更新表示手段は、前記連動設定手段により連動関係が設定された幾何図形に対する変更操作がなされた際に、当該変更操作に連動して当該行列を変更することを特徴としている。
【手続補正１２】
【補正対象書類名】明細書
【補正対象項目名】００１５
【補正方法】変更
【補正の内容】
【００１５】
この請求項４に記載の発明によれば、図形画面において行列に基づいて表示される幾何図形と、数式画面に表示される行列とを対応付けることができ、幾何図形に対する変更操作がなされた際に、当該幾何図形と対応付けられた数式画面の行列を、変更操作に基づいて自動的に変更させることができる。
【手続補正１３】
【補正対象書類名】明細書
【補正対象項目名】００１６
【補正方法】変更
【補正の内容】
【００１６】
さらに、請求項５に記載の発明は、請求項１に記載の図形表示制御装置において、前記連動設定手段により連動関係が設定されていることを表す識別子を、連動関係が設定された幾何図形又は数式に付けて表示するように制御する連動関係表示制御手段を備えることを特徴としている。
【手続補正１４】
【補正対象書類名】明細書
【補正対象項目名】００１７
【補正方法】変更
【補正の内容】
【００１７】
この請求項５に記載の発明によれば、図形画面の幾何図形と、数式画面の数式に連動関係が設定されている際に、連動関係が設定されていることをマーク表示させることができるので、幾何図形と数式とが連動されていることを画面上で確認することができる。
【手続補正１５】
【補正対象書類名】明細書
【補正対象項目名】０１５９
【補正方法】変更
【補正の内容】
【０１５９】
【発明の効果】
請求項１に記載の発明によれば、図形画面に表示された幾何図形と、数式画面に表示された数式との間に連動関係を設定することができる。そして、当該幾何図形又は数式とのうち、何れか一方に対する変更操作が入力された際に、当該変更操作に連動して他方の表示を連動させて、自動的に更新させることができる。例えば、幾何図形を変形する変更操作を行うと、連動関係にある数式が自動的に更新される。また、数式の一部を変更すると、連動関係にある幾何図形が自動的に更新される。従って、きわめて簡単な操作により数式等とそれに対応するグラフや図形等の関係を理解することができる。
【手続補正１６】
【補正対象書類名】明細書
【補正対象項目名】０１６０
【補正方法】変更
【補正の内容】
【０１６０】
請求項２に記載の発明によれば、図形画面と数式画面のうち、一方の画面に対して所定のコピー操作を行い、他方の画面に対して所定の貼り付け操作を行うことにより、コピー操作がなされた画面で指定された内容を、貼り付け操作がなされた画面の表示形態に応じた形態で表示させるとともに、一方の画面でコピー操作の際に指定された内容と、貼り付け操作に応じて他方の画面に表示制御された内容との間に連動関係を設定することができる。従って、一連の簡単な操作で、分かりやすく連動関係を設定できる。
【手続補正１７】
【補正対象書類名】明細書
【補正対象項目名】０１６１
【補正方法】変更
【補正の内容】
【０１６１】
この請求項３に記載の発明によれば、図形画面において関数式に基づいて表示される一の幾何図形と、数式画面に表示される関数式との間に連動関係を設定することができ、幾何図形に対する変更操作がなされた際に、当該幾何図形と対応付けられた数式画面の関数式を、変更操作に基づいて自動的に変更させることができる。
【手続補正１８】
【補正対象書類名】明細書
【補正対象項目名】０１６２
【補正方法】変更
【補正の内容】
【０１６２】
この請求項４に記載の発明によれば、図形画面において行列に基づいて表示される幾何図形と、数式画面に表示される行列とを対応付けることができ、幾何図形に対する変更操作がなされた際に、当該幾何図形と対応付けられた数式画面の行列を、変更操作に基づいて自動的に変更させることができる。
【手続補正１９】
【補正対象書類名】明細書
【補正対象項目名】０１６３
【補正方法】変更
【補正の内容】
【０１６３】
この請求項５に記載の発明によれば、図形画面の幾何図形と、数式画面の数式に連動関係が設定されている際に、連動関係が設定されていることをマーク表示させることができるので、幾何図形と数式とが連動されていることを画面上で確認することができる。